(57)【特許請求の範囲】
【請求項１】
設定項目が割り当てられたメニューを複数の階層で表示画面に表示する測定装置において、
前記表示画面の外に複数個設けられ、同一階層のメニューの中から一つのメニューを選択するメニューキーと、
このメニューキーで選択されたメニューに関連する下位階層のメニューを新たに表示するメニュー表示手段と、
このメニュー表示手段で新たに表示されたメニューよりも上位階層のメニューの表示位置を前記表示画面の内側に移動させる移動手段とを設け、
前記メニューキーは、前記表示画面の下に設けられ、
設定項目のタイトルは、前記メニュー内の上側に表示され、
前記移動手段は、前記上位階層のメニューの表示位置を前記表示画面の上側に移動させて前記設定項目のタイトルを明示させることを特徴とする測定装置。
【請求項２】
設定項目が割り当てられたメニューを複数の階層で表示画面に表示する測定装置において、
前記表示画面の外に複数個設けられ、同一階層のメニューの中から一つのメニューを選択するメニューキーと、
このメニューキーで選択されたメニューに関連する下位階層のメニューを新たに表示するメニュー表示手段と、
このメニュー表示手段で新たに表示されたメニューよりも上位階層のメニューの表示位置を前記表示画面の内側に移動させる移動手段とを設け、
前記メニューキーは、前記表示画面の上に設けられ、
設定項目のタイトルは、前記メニュー内の下側に表示され、
前記移動手段は、前記上位階層のメニューの表示位置を前記表示画面の下側に移動させて前記設定項目のタイトルを明示させることを特徴とする測定装置。
【請求項３】
同一階層のメニューのうち、前記メニューキーで選択されたメニューと選択されないメニューとの表示を変える識別手段を設けたことを特徴とする請求項１または２に記載の測定装置。
【請求項４】
前記メニュー表示手段は、新たに表示するメニューと前記メニューキーとの上下方向の距離を一定にすることを特徴とする請求項１または２に記載の測定装置。
【請求項５】
波形測定装置であることを特徴とする請求項１〜４のいずれかに記載の測定装置。
【発明の詳細な説明】
【技術分野】
【０００１】
本発明は、設定項目が割り当てられたメニューを複数の階層で表示画面に表示する測定装置に関し、詳しくは、設定項目を階層化してメニュー表示する場合であっても、各階層の選択経路、階層の深さを判断できつつ、操作性のよい測定装置に関するものである。
【背景技術】
【０００２】
測定装置は、例えば、波形測定装置（デジタルオシロスコープ）、電力計、電圧電流発生装置等であり、測定結果の表示や装置の設定を行なうための表示部が設けられる。
【０００３】
図９は、従来の測定装置の筐体前面の一部を示した図であり、波形測定装置を一例として示している。図９（ａ）は装置前面の一部の一例であり、（ｂ）はメニューの説明用の拡大図である。
【０００４】
図９において、表示画面１００は、測定結果、解析結果等を表示する波形表示領域１０１、装置設定用のメニューＭ１〜Ｍ５が表示される。
【０００５】
波形表示領域１０１は、表示画面１００の大部分を占め、測定結果の波形表示、解析結果等が表示される。メニューＭ１〜Ｍ５は、領域１０１の下側に表示され、メニューＭ１〜Ｍ５内の上段に設定項目のタイトル、下段に設定項目の選択肢、設定値等が表示される。
【０００６】
メニューキーＦ１〜Ｆ５は、表示画面１００の外であって、各メニューＭ１〜Ｍ５に対応させて設けられる。
【０００７】
なお、ソフトメニューはファンクションメニューと呼ばれ、メニューキーはファンクションキーと呼ばれることもある。また、メニューキーＦ１〜Ｆ５を５個とする一例を示しているが、表示画面１００の大きさ、装置自体の大きさによって個数は異なる。
【０００８】
そして、設定項目を選択する場合、所望の設定項目が割り当てられたメニューＭ１〜Ｍ５の下に設けられるメニューキーＦ１〜Ｆ５を押して、各メニューＭ１〜Ｍ５を選択する。例えば、メニューＭ１を選択する場合は、メニューキーＦ１を押す。そして、操作パネルのキー、ロータリーノブ、外付けのマウス等を用いて、選択した設定項目の選択肢の選択や設定値の設定等を行なう。
【０００９】
【特許文献１】特願２００５−１４０７１６号公報
【発明の開示】
【発明が解決しようとする課題】
【００１０】
近年の測定装置自体の小型化の要求により、測定装置に一体化している表示画面１００を大きくすることは困難であり、波形測定装置であれば、例えば、数〜十数インチ程度であり、１０インチ未満のものも多い。そのため、一度に表示できるメニューＭ１〜Ｍ５の個数にも限界がある。
【００１１】
例えば、図９に示すようにメニューキーＦ１〜Ｆ５が５個の場合、設定項目も５個であれば一度に全て表示することができるが、６個以上の場合は一度に全てを表示することができない。そこで、一番右端のメニューに「Ｎｅｘｔ」の設定項目を設け、このメニューＭ５に対応するキーＦ５を押すことにより、次のメニューページを表示し、残りのメニューを表示することができる。
【００１２】
図１０を用いて説明する。図１０は、設定項目が１１個の場合の表示例である。一番右端の「Ｎｅｘｔ」のメニューを選択する（対応するキーＦ５を押す）ことによって、メニューのページが更新され、表示される設定項目の切り替えが行なわれる。
【００１３】
なお、設定項目のタイトルは、説明を簡単にするため、「Ａ」〜「Ｅ」、「Ａ０」〜「Ａ２」、「Ａ２１」〜「Ａ２３」としている。また、３ページ目のメニューでは、キーＦ１のメニューは、非表示としている。
【００１４】
近年、測定装置の高機能化によって設定する項目数が非常に多くなっている。そのため、図１０に示すようにページをめくって順番に表示を切り替える場合、ページ数も非常に多くなり、所望の設定項目を見つけることが困難である。
【００１５】
そこで、関連する機能で設定項目をまとめ、階層化させることが多い。
図１１を用いて説明する。例えば、設定項目「Ａ」に設定項目「Ａ０」〜「Ａ２」が関連し、設定項目Ａ２に設定項目「Ａ２１」〜「Ａ２３」が関連する場合、設定項目「Ａ」〜「Ｅ」が第１階層となり、設定項目「Ａ０」〜「Ａ２」が第２階層となり、設定項目「Ａ２１」〜「Ａ２３」が第３階層となる。なお、第１階層が最も上位の階層であり、第３階層にいくほど下位の階層である。
【００１６】
このような階層化された場合のメニューの表示例を図１２、図１３に示す。
図１２は、上位階層のメニューの表示をそのままに、選択された設定項目「Ａ」、「Ａ２」の下位階層のメニューを同一位置に重ね書きした一例である。なお、上位階層のメニューは暗く表示され、新たに表示された下位階層のメニューと区別される。
【００１７】
図１３は、上位階層のメニューを消去し、選択された設定項目「Ａ」、「Ａ２」の下位階層のメニューを同一位置に重ね書きした一例である。
【００１８】
図１２、図１３に示すように階層化して表示するので、設定項目が非常に多くとも、図１０と比較して所望の設定項目を見つけることが容易となっている。しかしながら、下位階層の設定項目が割り当てられたメニューを、上位階層のメニューに重ね書きして下位階層が上位階層を覆ってしまうので、各階層の選択経路や現在の階層の深さを判断することが困難であるという問題があった。
【００１９】
図１４は設定項目を階層化した構造において、階層の深さが判断可能な表示例である。下位階層のメニューを、上位階層のメニューの表示位置からずらして重ね書きして表示した例であり、上位階層のメニューの表示位置は変更せず、下位階層のメニューを上位階層のメニューの上側（表示画面の上側方向）に階層毎にずらしている。
【００２０】
これにより階層の深さを判断することは可能であるが、下位階層のメニューによって上位階層のメニューのタイトルが隠れるため、各階層の選択経路を把握することが困難であるという問題があった。また、下位階層のメニューになるほど表示画面１００内の上側に表示される。そのため、第１階層のメニューとメニューキーＦ１〜Ｆ５までの距離Δｈ、第３階層のメニューとメニューキーＦ１〜Ｆ５との距離Δｈ’を比較した場合、下位階層における距離Δｈ’が大きくなり、下位階層になるほど各メニューに対応するキーＦ１〜Ｆ５がどれであるかを判断することが困難になるという問題があった。
【００２１】
図１５は設定項目を階層化した構造において、各階層の選択経路を把握することを容易とした表示例である。下位階層メニューのずらし量を大きくし、上位階層のメニューと重なることなく表示した例であり、上位階層のメニューの表示位置は変更せず、下位階層のメニューを上位階層のメニューの上側（表示画面の上側方向）に階層毎にずらしている。
【００２２】
これにより階層の深さを判断することも可能であり、下位階層のメニューによって上位階層のメニューのタイトルが隠れることもなく、各階層の選択経路、階層の深さを判断することが容易となる。
【００２３】
しかしながら、下位階層のメニューになるほど表示画面１００内の上側に表示されるので、対応するメニューキーＦ１〜Ｆ５との距離Δｈ’が大きくなり、メニューに対応するキーＦ１〜Ｆ５がどれであるかを判断することが困難になるという問題があった。さらには、下位階層のメニューによって、波形表示領域１００を隠すことになり、測定結果、解析結果を確認することが困難になるという問題があった。
【００２４】
そこで本発明の目的は、設定項目を階層化してメニュー表示する場合であっても、各階層の選択経路、階層の深さを判断できつつ、操作性のよい測定装置を実現することにある。
【課題を解決するための手段】
【００２５】
請求項１記載の発明は、
設定項目が割り当てられたメニューを複数の階層で表示画面に表示する測定装置において、
前記表示画面の外に複数個設けられ、同一階層のメニューの中から一つのメニューを選択するメニューキーと、
このメニューキーで選択されたメニューに関連する下位階層のメニューを新たに表示するメニュー表示手段と、
このメニュー表示手段で新たに表示されたメニューよりも上位階層のメニューの表示位置を前記表示画面の内側に移動させる移動手段とを設け、
前記メニューキーは、前記表示画面の下に設けられ、
設定項目のタイトルは、前記メニュー内の上側に表示され、
前記移動手段は、前記上位階層のメニューの表示位置を前記表示画面の上側に移動させて前記設定項目のタイトルを明示させることを特徴とするものである。
請求項２記載の発明は、
設定項目が割り当てられたメニューを複数の階層で表示画面に表示する測定装置において、
前記表示画面の外に複数個設けられ、同一階層のメニューの中から一つのメニューを選択するメニューキーと、
このメニューキーで選択されたメニューに関連する下位階層のメニューを新たに表示するメニュー表示手段と、
このメニュー表示手段で新たに表示されたメニューよりも上位階層のメニューの表示位置を前記表示画面の内側に移動させる移動手段とを設け、
前記メニューキーは、前記表示画面の上に設けられ、
設定項目のタイトルは、前記メニュー内の下側に表示され、
前記移動手段は、前記上位階層のメニューの表示位置を前記表示画面の下側に移動させて前記設定項目のタイトルを明示させることを特徴とするものである。
請求項３記載の発明は、請求項１または２記載の発明において、
同一階層のメニューのうち、前記メニューキーで選択されたメニューと選択されないメニューとの表示を変える識別手段を設けたことを特徴とするものである。
請求項３記載の発明は、請求項１または請求項２に記載の発明において、
同一階層のメニューのうち、前記メニューキーで選択されたメニューと選択されないメニューとの表示を変える識別手段を設けたことを特徴とするものである。
請求項４記載の発明は、請求項１または２記載の発明において、
前記メニュー表示手段は、新たに表示するメニューと前記メニューキーとの上下方向の距離を一定にすることを特徴とするものである。
請求項５記載の発明は、請求項１〜４のいずれかに記載の発明において、
波形測定装置であることを特徴とするものである。
【発明の効果】
【００２６】
本発明によれば、以下のような効果がある。
メニュー表示手段が、下位階層となる新たなメニューを表示し、移動手段が、新たに表示されたメニューよりも上位階層のメニューの表示位置を表示画面中の内側（メニューキーから遠ざかる方向）に所定量移動させるので、上位階層と下位階層のメニューとが一部重なって表示されていても、上位階層の設定項目の内容を視認できる。これにより、設定項目を階層化してメニュー表示する場合であっても、各階層の選択経路、階層の深さを判断できつつ、メニューとメニューキーとの対応関係が分かりメニュー選択の操作性が格段によくなる。
【発明を実施するための最良の形態】
【００２７】
以下図面を用いて本発明の実施の形態を説明する。
図１は、本発明の一実施例を示した構成図である。ここで、図９と同一のものには同一符号を付し、説明を省略する。図１において、測定部１０は、被測定信号が入力され、デジタルデータを出力する。メモリ２０は、測定部１０からのデジタルデータを格納する。
【００２８】
メニュー記憶部３０は、測定装置の設定項目、各設定項目同士の関連性、設定項目の階層等のメニュー情報が格納される。階層化構造の一例としては、例えば、図１１に示す構造である。
【００２９】
表示処理部４０は、メニュー表示手段４１、上位階層移動手段４２、識別手段４３を有し、メモリ２０のデジタルデータを読み出し波形表示等の画像データを生成すると共に、メニュー記憶部３０からメニュー情報を読み出し、メニュー用の画像データも生成する。
【００３０】
表示部５０は、表示部５０の表示画面１００に表示処理部４０からの画像データを表示する。
【００３１】
選択部６０は、測定装置のキー（メニューキーＦ１〜Ｆ５を含む）、ロータリーノブ、外付けのマウス等であり、表示画面１００に表示されるメニューの選択、設定項目の選択肢の選択、設定値の設定等を行ない、選択結果、設定値等を表示処理部４０に出力する。
【００３２】
続いて、表示処理部４０のメニュー表示手段４１、上位階層移動手段４２、識別手段４３を説明する。メニュー表示手段４１は、メニュー記憶部３０のメニュー情報、選択部６０の選択結果に基づいて各階層のメニューを表示する。
【００３３】
上位階層移動手段４２は、選択部６０によってメニュー選択が行なわれると、メニュー表示手段４１によって新たに表示されたメニューよりも上位階層のメニューの表示位置を表示画面１００の上側に移動させ、上位階層のメニューの設定項目のタイトルを明示させる。
【００３４】
識別手段４３は、同一階層のメニューのうち、選択部６０のメニューキーＦ１〜Ｆ５で選択されたメニューと選択されないメニューとの表示を変える。例えば、選択されないメニューを暗く表示する。
【００３５】
このような装置の動作を説明する。
測定部１０が、被測定信号をＡＤ変換器（図示せず）によって所定のサンプリングレートでデジタルデータに変換し、時系列順にメモリ２０へ格納する。
【００３６】
さらに、測定部１０が、所定のデータ長のデジタルデータ（例えば、トリガ信号を基準とし、この基準となるトリガ信号前後の所望時間分のデジタルデータ）をメモリ２０に書き込む。そして、次のトリガ信号を検出すると所定のデータ長のデジタルデータをメモリ２０に再度書き込む動作を繰返す。ここで、所定のデータ長からなるデジタルデータを波形データと呼ぶ。
【００３７】
そして、表示処理部４０が、メモリ２０から波形データを読み出し、表示画面１００の波形表示領域１０１に波形表示、解析結果等の表示を行なう。
【００３８】
さらに、選択部６０からメニュー表示の指示が表示処理部４０に通知された場合、メニュー表示手段４１が、メニュー記憶部３０から第１階層の設定項目を読み出し、各設定項目をメニューに割り当てて、表示画面１００内であって、波形表示領域１０１の下側の領域に各メニューを表示する。この場合、設定項目のタイトルをメニュー内の上側、設定項目の選択肢・設定値をメニュー内の下側に表示する。
【００３９】
そして、選択部６０のメニューキーＦ１〜Ｆ５のいずれかが測定装置のユーザに押下されると（つまり、所望のメニューが選択された場合）、選択部６０が、押下されたキーＦ１〜Ｆ５を表示処理部４０の各手段４１〜４３に通知する。
【００４０】
これによって、メニュー表示手段４１が、選択されたメニューの設定項目に対して下位階層の設定項目があるか否かをメニュー記憶部３０のメニュー情報を参照し、存在する場合、下位階層の設定項目のメニューを表示画面１００に表示させる。
【００４１】
また、上位階層移動手段４２が、選択された階層のメニューの表示位置を表示画面１００の上側に移動させる。移動量は、メニュー中に表示される設定項目のタイトルがユーザによって認識できる程度でよく、図１５に示すようにメニュー全体を移動させ、設定項目の選択肢・設定値までも視認できるようにしなくてよい。
【００４２】
さらに識別手段４３が、選択されなかったメニューの輝度を暗くし、選択されたメニューと選択されなかったメニューとの表示を変える。
【００４３】
なお、メニュー表示手段４１、移動手段４２、識別手段４３の順で動作を説明したが、各手段４１〜４３の順番がどのようなものでもよく、例えば、識別手段４３が輝度を暗くし、移動手段４２が移動させ、メニュー表示手段４１が新たなメニューを表示させてもよく。また、各手段４１〜４３の動作を並列に行なってもよい。
【００４４】
図２を用いて具体的に説明する。図２は、図１に示す装置の表示画面１００の表示例およびメニューキーＦ１〜Ｆ５の一例を示した図である。
【００４５】
第１階層の設定項目が割り当てられたメニューＭ１（１）〜Ｍ１（５）が、メニュー表示手段４１によって表示画面１００に表示される。なお、メニューＭ１（１）〜Ｍ１（５）は、波形表示領域１０１の下側に表示される。また、設定項目のタイトル「Ａ」〜「Ｅ」は、メニューＭ１（１）〜Ｍ１（５）中の上側に表示され、設定項目の選択肢・設定値は、下側に表示される。設定項目の選択肢・設定値が存在しない場合は、空白になる。
【００４６】
そして、メニューキーＦ１が押下されメニューＭ１（１）が選択されることにより、識別手段４３が、選択されなかったメニューＭ１（２）〜Ｍ１（５）のタイトル、選択肢・設定値を暗く表示し、選択されたメニューＭ１（１）を相対的に明るく表示させる。
【００４７】
また、移動手段４２が、第１階層のメニューＭ１（１）〜Ｍ１（５）全体の表示位置を表示画面１００の上側に移動させる。
【００４８】
さらに、メニュー表示手段４１が、選択されたメニューＭ１（１）の設定項目「Ａ」に対して下位階層の設定項目「Ａ０」〜「Ａ２」のメニューＭ２（１）〜Ｍ２（３）を表示画面１００に新たに表示させる。この際、表示手段４１が、第２階層のメニューを、移動後の第１階層のメニューに対して相対的に右下にずれた位置で第１階層のメニューに一部重ねた上書きで表示させる。
【００４９】
ここで、新たに表示される第２階層のメニューＭ２（１）〜Ｍ２（３）とメニューキーＦ１〜Ｆ５の距離Δｈ（図２中では、メニューキーＦ３との距離で図示）を、移動前の第１階層のメニューＭ１（１）〜Ｍ１（５）とメニューキーＦ１〜Ｆ５の距離Δｈと同一となるように、メニュー表示手段４１が表示する。
【００５０】
なお、メニューキーＦ１〜Ｆ５と各メニューＭ１（１）〜Ｍ１（５）、Ｍ２（１）〜Ｍ２（３）との距離Δｈとは、メニューキーＦ１〜Ｆ５が配列される方向をＸ軸とした場合、このＸ軸に対して平行に同一階層のメニューが配置されるが、Ｘ軸に直交するＹ軸方向（表示画面１００の上下方向）におけるメニューキーとメニューとの距離のことである。
【００５１】
また、識別手段４３が、メニューキーＦ１〜Ｆ５の選択対象となる現在の階層（第２階層）のメニューＭ２（１）〜Ｍ２（３）を全て明るく表示する。この際、第１階層で選択されたメニューＭ１（１）の輝度と、選択対象の現在の階層（第２階層）のメニューＭ２（１）〜Ｍ２（３）の輝度とを変えて表示してもよい。
【００５２】
次に、第２階層のメニューが選択された場合の動作を説明する。
メニューキーＦ３が押下されメニューＭ２（３）が選択されることにより、識別手段４３が、選択されなかったメニューＭ２（１）〜Ｍ２（２）のタイトル、選択肢・設定値を暗く表示し、選択されたメニューＭ２（３）を相対的に明るく表示させる。なお、第１階層の各メニューＭ１（１）〜Ｍ１（５）の明暗はそのままであり、結果として、上位階層のメニューでは、選択されたメニューＭ１（１），Ｍ２（３）のみが明るく、メニューＭ１（２）〜Ｍ１（５）、Ｍ２（１）〜Ｍ２（２）が暗く表示される。
【００５３】
そして、移動手段４２が、第３階層の上位階層である第１、第２階層のメニューＭ１（１）〜Ｍ１（５）、Ｍ２（１）〜Ｍ２（３）全体の表示位置を表示画面１００の上側に移動させる。
【００５４】
さらに、メニュー表示手段４１が、選択されたメニューＭ２（３）の設定項目「Ａ２」に対して下位階層の設定項目「Ａ２１」〜「Ａ２３」のメニューＭ３（１）〜Ｍ３（３）を表示画面１００に新たに表示させる。この際、表示手段４１が、第３階層のメニューを、移動後の第２階層のメニューに対して相対的に右下にずれた位置で第２階層のメニューに一部重ねた上書きで表示させる。その結果、第１階層、第２階層、第３階層それぞれが、右下方向に順番に並んで表示される。
【００５５】
ここで、新たに表示される第３階層のメニューＭ３（１）〜Ｍ３（３）とメニューキーＦ１〜Ｆ５の距離Δｈを、移動前の第２階層のメニューＭ２（１）〜Ｍ２（３）とメニューキーＦ１〜Ｆ５の距離Δｈと同一となるように、メニュー表示手段４１が表示する。
【００５６】
また、識別手段４３が、メニューキーＦ１〜Ｆ５の選択対象となる現在の階層（第３階層）のメニューＭ３（１）〜Ｍ３（３）を全て明るく表示する。この際、第１階層、第２階層で選択されたメニューＭ１（１）、Ｍ２（３）の輝度と、選択対象の現在の階層（第３階層）のメニューＭ３（１）〜Ｍ３（３）の輝度とを変えて表示してもよい。例えば、第３階層のメニューＭ３（１）〜Ｍ３（３）を最も明るくする。
【００５７】
このようにメニュー表示手段４１が、１段上の上位階層のメニューと同様の距離Δｈで新たなメニューを表示し、移動手段４２が、上位階層の表示位置を表示画面１００中の上側（メニューキーＦ１〜Ｆ５から遠ざかる方向）に所定量移動させるので、上位階層と下位階層のメニューとが重なって表示されていても、上位階層の設定項目のタイトルを視認できる。これにより、設定項目を階層化してメニュー表示する場合であっても、各階層の選択経路、階層の深さを判断できつつ、メニューとメニューキーとの対応関係が分かりメニュー選択の操作性が格段によくなる。
【００５８】
また、識別手段４３が、選択されなかったメニューを暗くし、選択されたメニューを相対的に明るくさせるので、下位階層への遷移する際の選択された設定項目の識別が容易となる。つまり、明るく表示されるメニューが選択されたメニューなので、階層構造（選択経路のタイトル）が容易に認識でき、各設定項目の関係も容易に判断でき、測定装置の全体機能の理解も容易となる。
【００５９】
ここで、図３は、メニュー表示の具体例を示した図である。図３は、表示画面１００の設定（色、輝度等の設定）を実施した場合の一例を示している。なお、メニューキーの図示は省略しているが、図３の表示例ではメニューキーが少なくとも７個設けられる。
【００６０】
選択部６０からの指示によってメニュー表示手段４１が、「Display」に関する第１階層のメニューを表示する。第１階層のメニューの左端上には、タブ「Display」も併せて表示させるとよい。
【００６１】
そして、メニューキーによって設定項目「color」のメニューが選択された場合、識別手段４３が、選択されなかった各設定項目のメニューをグレーアウトさせ、上位階層移動手段４２が、第１階層のメニューを上側に移動させ、メニュー表示手段４１が、設定項目「color」の第２階層となるメニューを新たに表示させる。第２階層の設定項目としては、例えば、各チャネル「CH1」〜「CH4」の波形の色設定、各演算結果「Math1」〜「Math2」の波形の色設定、グリッド、ズーム枠、カーソル等の輝度設定をするための「Intensity」が表示される。
【００６２】
もちろん、表示手段４１が、第２階層のメニューを第１階層の右下部分であって、第１階層のメニューに一部重ねて表示させる。また、Ｙ軸方向の表示位置は、移動前の第１階層のメニューと同じ位置である。
【００６３】
そして、メニューキーによって設定項目「Intensity」のメニューが選択され、識別手段４３が、選択されなかった各設定項目のメニューをグレーアウトさせ、上位階層移動手段４２が、第１、第２階層のメニューを上側に移動させ、メニュー表示手段４１が、設定項目「Intensity」の第３階層となるメニューを新たに表示させる。
【００６４】
さらに、第３階層のメニューのなかから選択された設定項目「Graticule」の設定値をロータリーノブ等で設定し、必要に応じて他の設定項目（グリッド、ズーム枠、カーソル等）の輝度設定を行なう。
【００６５】
なお、本発明はこれに限定されるものではなく、以下に示すようなものでもよい。
（１）メニューキーＦ１〜Ｆ５が、表示画面１００の下側に設ける構成を示したが、メニューキーＦ１〜Ｆ５を表示画面１００の上に設けてもよい。
【００６６】
図４、図５を用いて説明する。図４、図５に示すように、メニューキーＦ１〜Ｆ５が表示画面１００の上に設けられる場合、メニュー表示手段４１が、各階層のメニューにおいて、設定項目のタイトルをメニュー内の下側、設定項目の選択肢・設定値をメニュー内の上側に表示する。また、識別手段４３が、選択されたメニューと選択されなかったメニューとの表示を変えて（例えば、選択されなかったメニューをグレーアウト）表示する。
【００６７】
そして、上位階層移動手段４２が、選択された階層のメニューの表示位置を表示画面１００の下側に移動させる。移動量は、図２、図３と同様にメニュー中に表示される設定項目のタイトルがユーザによって認識できる程度でよい。
【００６８】
つまり、移動手段４２は、上位階層のメニューの表示位置を、下位階層のメニューよりも表示画面の内側に移動させ、表示されるメニューの中で最も下位階層となるメニューが、常に、メニューキーＦ１〜Ｆ５に最も近い位置に表示する。
【００６９】
（２）メニュー表示手段４１が、一段上の上位階層のメニューに対して下位階層のメニューを相対的に右下となる位置に表示する構成を示したが、図６に示すように真下となる位置に表示させてもよい。
【００７０】
（３）メニュー表示手段４１が、移動前の一段上の上位階層のメニューの表示位置と、下位階層のメニューの表示位置をＹ軸方向に対して同じ位置となるように表示させる構成を示したが、図７に示すようにＸ軸方向に対しても同じ位置となるうように表示させてもよい。この場合、上位階層移動手段４２が、一段上の上位階層のメニューを上側に移動させるのでなく、左上に移動させるとよい。
【００７１】
（４）移動手段が４２が、上位階層のメニューの表示位置を移動させる構成を示したが、メニュー表示手段４１によって新たに表示された下位階層のメニューも上位階層のメニューと同時に移動させ、階層が変化する際の表示を図８に示すように変化の様子をアニメーションのように動画で表示させてもよい。
【００７２】
図８において、識別手段４３が、選択されたメニュー（設定項目「Ａ」）以外を暗くする。そして、メニュー表示手段４４が、タイトルのみが視認できるように、選択されたメニューに下位階層のメニューを、上位階層のメニューの右下に表示する。この状態では、新たなメニューが、表示画面１００には全て表示されていない。
【００７３】
そして、移動手段４２が、全メニュー（第１階層、第２階層）を少しずつ表示画面１００の上側に移動させていき（図８（ｃ）〜図８（ｄ））、図８（ｄ）にいたるまでをアニメーション（全体のメニューがせりあがるように表示）で移動させる。
【００７４】
（５）各階層が順に右斜め方向に並ぶ構成を示したが、移動手段４２は、左斜め方向に並ばせてもよい。
【００７５】
（６）設定項目の階層を三階層とし、各階層の設定項目を５個までとする例を示したが、階層、設定項目のそれぞれは何階層、何個でもよい。
【００７６】
（７）識別手段４３が、選択されたメニューと選択されたなかったメニューとの輝度を変える構成を示したが、輝度だけでなく、色、形状、フォント、サイズ等を変えて選択されたメニューと選択されなかったメニューとをユーザに識別させてもよい。
【００７７】
（８）波形測定装置（デジタルオシロスコープ）に用いる構成を示したが、その他の測定装置（電力計、電圧電流発生装置等）に本発明を用いてもよい。
【図面の簡単な説明】
【００７８】
【図１】本発明の一実施例を示した構成図である。
【図２】図１に示す装置の表示例を示した図である。
【図３】図１に示す装置のその他の表示例を示した図である。
【図４】図１に示す装置のその他の表示例を示した図である。
【図５】図１に示す装置のその他の表示例を示した図である。
【図６】図１に示す装置のその他の表示例を示した図である。
【図７】図１に示す装置のその他の表示例を示した図である。
【図８】図１に示す装置のその他の表示例を示した図である。
【図９】従来の測定装置の表示例を示した図である。
【図１０】従来の測定装置のその他の表示例を示した図である。
【図１１】階層化構造の一例を示した図である。
【図１２】従来の測定装置のその他の表示例を示した図である。
【図１３】従来の測定装置のその他の表示例を示した図である。
【図１４】従来の測定装置のその他の表示例を示した図である。
【図１５】従来の測定装置のその他の表示例を示した図である。
【符号の説明】
【００７９】
４１  メニュー表示手段
４２  移動手段
４３  識別手段
６０  選択部
１００  表示画面
Ｆ１〜Ｆ５  メニューキー
Ｍ１（１）〜Ｍ１（５）、Ｍ２（１）〜Ｍ２（３）、Ｍ３（１）〜Ｍ３（３）  メニュー
【図１】
0005136034.tif 000002
【図４】
0005136034.tif 000003
【図９】
0005136034.tif 000004
【図１０】
0005136034.tif 000005
【図１１】
0005136034.tif 000006
【図１３】
0005136034.tif 000007
【図１４】
0005136034.tif 000008
【図１５】
0005136034.tif 000009
【図２】
0005136034.tif 000010
【図３】
0005136034.tif 000011
【図５】
0005136034.tif 000012
【図６】
0005136034.tif 000013
【図７】
0005136034.tif 000014
【図８】
0005136034.tif 000015
【図１２】
0005136034.tif 000016